(57)【要約】    【課題】  引き出し式扉に設置された枠体が、固定ローラ上を摺動するときに発生するローラの回転摺動音により、ユーザーの不快感を招いていた。また、長期間使用後の固定ローラの回転部とその軸部間には比較的大きな隙間が生ずるので、引き出し扉を開放したときに、該隙間分だけ引き出し扉が前下がりになり、該前下がりのために、下方に設置された隣接の扉に当接し互いに傷つく場合が生じていた。    【解決手段】  容器を支える枠体を扉側に有し、該枠体に容器を懸架し、且つ、枠体後部に滑部を設け、該滑部を箱体側に設けたレール内を摺動させて、上記容器を箱体に対して、引き出し自在とし、前記枠体の下部に、該枠体の荷重を支え、滑材となる凸部材を箱体前部に設置した。また、前記凸部材に、滑材となる突部と、枠体の横揺れ防止部と、枠体の前傾防止部とを備えた。    【選択図】  図２
2005140429.tif 000002
【特許請求の範囲】
【請求項１】
容器を支える枠体を扉側に有し、該枠体に容器を懸架し、且つ、枠体後部に滑部を設け、該滑部を箱体側に設けたレール内を摺動させて、上記容器を箱体に対して、引き出し自在とした冷蔵庫において、前記枠体の下部に、該枠体の荷重を支え、滑材となる凸部材を箱体前部に設置したことを特徴とする冷蔵庫。
【請求項２】
凸部材は、滑材となる突部と、枠体の横揺れ防止部を兼ねたことを特徴とする請求項１に記載の冷蔵庫。
【請求項３】
凸部材は、滑材となる突部と、枠体の横揺れ防止部と、枠体の前傾防止部と、を備えたことを特徴とする請求項１に記載の冷蔵庫。
【請求項４】
凸部材を、貯蔵室を区画形成する中間仕切りと、一体に形成したことを特徴とする請求項１に記載の冷蔵庫。
【発明の詳細な説明】
【技術分野】
【０００１】
本発明は冷蔵庫に関する。
【背景技術】
【０００２】
従来の技術については、特開平11-201625号公報の図３及び明細書記載のように、食品等を収納するケース１０を載置した略Ｌ字状のフレーム６の後部に設けられた移動ローラ７aと、内箱に設けられ、前記移動ローラ７aが収納されて摺動するレール部５と、下側中仕切壁９に設けられ、前記フレーム６が摺動する本体側固定ローラ８と、前記フレーム６に設けられ、前記本体側固定ローラ８が摺動する第１フランジ部６aと、前記フレーム６に設けられ、前記ケース１０の左右支持部である第２フランジ部６bと、前記下側中仕切壁９に設けられ、前記第２フランジ部６bと一定間隔を空けて立設された第１の当接部１１aと、前記第１フランジ部６aと一定間隔を空けて前記本体側固定ローラ８の頂点より低くなるように設けた第２の当接部１１bとを一体に有するＬ字状の当接部１１と、を備えて、引き出し扉を引き出した状態での、フレーム６の左右ブレ、及び、フレーム６のたわみを軽減していた。
【０００３】
【特許文献１】特開平11-201625号公報（図３）
【発明の開示】
【発明が解決しようとする課題】
【０００４】
引き出し式扉を有する冷蔵庫においては、該引き出し式扉を引き出すときに、該引き出し式扉に設置された枠体（前記従来例のフレーム６相当部材）が、固定ローラ（前記従来例の本体側固定ローラ８相当部材）上を摺動するときに、発生するローラの回転摺動音により、ユーザーの不快感を招いていた。
【０００５】
また、引き出し式扉に設置された枠体（前記従来例のフレーム６相当部材）と、横揺れ防止部（前記従来例の第１の当接部１１a相当部材）との間に製造上発生する隙間（前記従来例の第１の当接部１１aと第２フランジ部６bとの間隔相当）のために、該引き出し式扉を引き出すときに、左右方向にガタ付が発生し、該ガタ付により前記引き出し式扉が左右方向に揺れ動くので、ユーザーの不快感を招いていた。
【０００６】
また、固定ローラ（前記従来例の本体側固定ローラ８相当部材）は、通常軸部と回転部を有し、該軸部と回転部には、最小でも、回転に必要な隙間を必要とし、更に加えて、それぞれの部品の製造誤差を吸収するだけの隙間を必要とする。また、該固定ローラには、その上を摺動する枠体自身の重量に加えて、該枠体が支持している容器や容器内収納食品等の全ての負荷が加わるために、長期間使用後の固定ローラの回転部とその軸部間には更に大きな隙間が生ずる。従って、該固定ローラの回転部は、その軸部に対して偏芯しつつ回転するために、その発生するローラの回転摺動音はより大きくなることがある。
【０００７】
また、長期間使用後の固定ローラの回転部とその軸部間には大きな隙間が生ずるので、引き出し扉を開放したときに、該隙間分だけ引き出し扉が前下がり方向に前傾し、該前下がりのために、下方に設置された隣接の扉に当接し互いに傷つく場合が生じていた。また、引き出し扉が開放の度に前下がりになると、扉内部に収納した食品が、扉の開閉の度に前後方向にズレ動き、食品同士が当接して互いに傷める場合が生じていた。また、引き出し扉が開放の時に前下がりになると、該扉を閉める時の押し込み力が大きくなり、ユーザーの使用勝手を悪くしていた。
【０００８】
上記問題点に対して、従来例に示した特開平11-201625号公報にては、具体的対応が提示されてない。従って、本発明は、引き出し扉を引き出すときに、回転ローラの不快音を発生しない、且つ、引き出し扉を開放しても前下がりの少ない冷蔵庫構造を提供するものである。
【課題を解決するための手段】
【０００９】
容器を支える枠体を扉側に有し、該枠体に容器を懸架し、且つ、枠体後部に滑部を設け、該滑部を箱体側に設けたレール内を摺動させて、上記容器を箱体に対して、引き出し自在とした冷蔵庫において、前記枠体の下部に、該枠体の荷重を支え、滑材となる凸部材を箱体前部に設置したので、従来例のようなローラの回転摺動音が発生しない構造を提供できる。
【００１０】
また、前記凸部材は、滑材となる突部と、枠体の横揺れ防止部を兼ねたので、従来例のような、本体側固定ローラ部品と、第１の当接部を有するＬ字状の当接部品とを重複して必要としないので、製造コスト上有利な構造を提供できる。
【００１１】
また、前記凸部材は、滑材となる突部と、枠体の横揺れ防止部と、枠体の前傾防止部と、を備えたので、引き出し扉を開放しても前下がりの少ない冷蔵庫構造を提供できる。
【００１２】
また、前記凸部材を、貯蔵室を区画形成する中間仕切りと、一体に形成したので、従来例のような、本体側固定ローラ部品やＬ字状の当接部品とを必要としないので、製造コスト上有利な構造を提供できる。
【発明の効果】
【００１３】
容器を支える枠体の下部に、該枠体の荷重を支え、滑材となる凸部材を箱体前部に設置し、該凸部材は、枠体の横揺れ防止部と、枠体の前傾防止部と、を備えたので、引き出し扉を引き出すときの不快音を発生しない、且つ、引き出し扉を開放しても前下がりの少ない冷蔵庫構造を提供できる。
【発明を実施するための最良の形態】
【００１４】
以下本発明の詳細を図に示す一実施例で説明する。
【実施例１】
【００１５】
図１は、本発明の一実施例を示す冷蔵庫正面図であり、２は、箱体７の開口前面を開閉可能に閉鎖する回転開き式扉である。３、４、５及び６は前記箱体７の開口前面を開閉可能に閉鎖する引き出し式扉であり、該扉３，４，５，６は後述する中間仕切り１３（図２の１３）により、区画形成された複数の貯蔵室前面に設置されている。なお、前記扉４と５は図1に示すように、それぞれ箱体の同一高さに、且つ、左右方向に並置されている。
また、前記扉３，４，５，６は該扉内側に、それぞれ、貯蔵食品を収納する容器を支える枠体８（図２の８）を有している。該枠体の構成を図２により説明する。
【００１６】
図２は図１のＡ−Ａ線要部断面図であり、同時に、後述する図３のＣ−Ｃ線要部断面図でもある。引き出し式扉４（３，５，６）の内側には、容器１５を懸架する枠体８を有し、該枠体８の後部に滑部９aを設け、該滑部９aを箱体７内側に設けた箱体レール部１０内を摺動させて、前記容器１５を箱体に対して、引き出し自在と成るように構成してある。該滑部９aはその表面が潤滑性を持つ合成樹脂等にて形成されており、前記箱体レール１０内を前後に滑動する構成にしてある。
【００１７】
また、前記枠体８の下部で、且つ、箱体７内に複数の貯蔵室を区画形成する中間仕切り１３の上部には、該枠体８に加わる容器自身の荷重及び該容器に貯蔵された収納食品の荷重や枠体自身の荷重を支える凸部材１２を設置してあり、該凸部材１２は、前述の荷重を支え、滑材となる突部１２aと、前記枠体８を引き出し式扉４と共に、箱体に対して引き出した時、該枠体８が前記の容器１５自身の荷重及び該容器に貯蔵された収納食品の荷重や枠体８自身の荷重により、該引き出した枠体８が前傾しないように前傾防止部１２cと、を備えてある。換言すれば、扉に設置された枠体８に、容器１５自身の荷重や収納食品等の荷重及び枠体８自身の荷重等が加わり、該荷重が負荷された状態で、該枠体８を設置した扉４（３，５，６）を引き出したときでも、前傾防止部１２cが該枠体８を支えることにより、扉４（３，５，６）及び容器１５が前下がり状態に成らないように前記前傾防止部１２cの高さ寸法Ｈ1を設定してある。
【００１８】
なお、前記の突部１２aや前傾防止部１２c及び後述する横揺れ防止部１２bは、その表面が潤滑性を持つ合成樹脂等にて形成されており、前記枠体８のレール面８aや枠体の横揺れ防止部８bと互いに滑動する構成にしてある。換言すれば、扉に設置された枠体８に、容器１５自身の荷重や収納食品等の荷重及び枠体８自身の荷重等が加わり、該荷重が負荷された状態で、該枠体８を設置した扉４（３，５，６）を引き出すときに、枠体８のレール面８aや枠体の横揺れ防止板部８bと、突部１２aや前傾防止部１２c及び後述する横揺れ防止部１２bとが接触したまま互いに滑動しても、ユーザに不快感を抱かせる摺動音が発生しないように、突部１２aや前傾防止部１２c及び後述する横揺れ防止部１２bの表面に潤滑性を有する構成にしてある。なお、該潤滑性を有する構成として、原材料自身の表面がなめらかなポリオレフィン系合成樹脂やポリアセタール系合成樹脂あるいはナイロン系合成樹脂を射出成形等により形成しても良く、または、枠体８のレール面８aや枠体の横揺れ防止板部８b表面に、それ自身の表面が滑らかなアクリル樹脂やメラミン樹脂を被覆しても良い。
【００１９】
また、前記凸部材は、前記枠体８の横ぶれを規制する横揺れ防止板部８bと僅かの間隙にて対峙する横揺れ防止部１２bを備えてある。つまり、前記枠体８を設置した扉４（３，５，６）を引き出すときに、該扉４（３，５，６）が横ぶれしないように、枠体８の横揺れ防止板部８bと、前記横揺れ防止部１２bとの間隙寸法δ21、δ31、δ22、δ32（図３及び図４のδ21、δ31、δ22、δ32）を規定してある。
【００２０】
次に、この間隙寸法について図３及び図４により説明する。図３は前述した図２のＢ−Ｂ線要部断面図である。図４は、図３のＤ−Ｄ線要部断面図であり、説明の簡便上、引き出し扉４を閉鎖した状態で、かつ、滑部９aの位置での断面図を表わし、該扉４の左側に並置する引き出し扉５は、該扉５を引き出した状態で、かつ、横揺れ防止板部８bの位置での断面図を示してある。
【００２１】
図３において、１２bが前述の中間仕切り１３に設けた横揺れ防止部であり、該横揺れ防止部１２bと枠体の横揺れ防止板部８bとの間に、間隙寸法δ21、δ31、δ22、δ32を有しており、該間隙寸法δ21、δ31、δ22、δ32は図４に示すように設定されている。図４に示すように、引き出し扉４を閉鎖した状態で、該扉４の左側に並置する引き出し扉５を閉鎖したとき（図４中の二点鎖線で示した扉５aの状態）は、該扉５と並置する扉４との間には、外観意匠上で決定された隙間寸法δ10を有している。
【００２２】
この状態から扉５を開放し、図４中の実線で示した扉５bの状態での、扉４との隙間寸法をδ11とすると、該δ11寸法は、扉５を引き出した時の各部の隙間寸法により発生するガタ付等により横揺れした場合は、前述のδ10寸法より小さくなる。その状態で、隣接する扉４を開放すると、該扉４と前記の扉５が当接して、互いに傷付が発生すると言う障害が生ずる。本例では、この障害を少なくするために、枠体の横揺れ防止板部８bと、前述の横揺れ防止部１２bとの間隙寸法δ22やδ32を、極く小さい寸法に設定してある。つまり、扉５の枠体後部に設置した滑部９aと、箱体レール１０の前部側壁１０aとの間隙寸法δ42やδ52および前述の間隙寸法δ22やδ32を、図４に示すように、扉５前面と前記の横揺れ防止部１２bまでの長さ寸法Ｌ1、及び該横揺れ防止部１２bと前述の滑部９aまでの長さ寸法Ｌ2を考慮して、前記の間隙寸法δ32やδ52、或いは、間隙寸法δ22やδ42を零となるように横揺れさせた場合でも、前述の扉同士の隙間が、［δ11＞零］と成るように設定してある。
【００２３】
なお、この関係は扉４側の各部の間隙寸法δ21、δ31、δ41、δ51にも同様に設定してある。また、上記の寸法関係は、それぞれの扉に設置する横揺れ防止板部８b同士の間隔Ｗ1やＷ2により調整する必要があることは自明である。なお、前述の中間仕切り１３に設けた横揺れ防止部１２bを、該中間仕切り１３に対して可撓性を有して設置することにより、且つ、該横揺れ防止部１２b表面を潤滑性を有する材質にすることで、前述の間隙寸法δ22やδ32或いはδ21、δ31を零としても、横揺れ防止部１２bと枠体の横揺れ防止板部８bとの摺動音の発生は極く小さく設定できることは自明である。
【００２４】
また、一端を扉に固定された枠体８同士の間を繋ぐ枠継ぎ部材９と、前述の枠体後部に設けられた滑部９aを、それ自身が潤滑性を有する材料、例えば、ポリオレフィン系合成樹脂やポリアセタール系合成樹脂あるいはナイロン系合成樹脂等で射出成形等により一体形成しても良い。また、枠継ぎ部材９と滑部９aを別体にて形成し、該滑部９aを回転式ローラタイプに設定しても良く、この場合は、該回転式ローラとした滑部９aが移動する箱体レール部１０内のレール面１０a（図３の１０a）を、それ自身が潤滑性を有する材料、例えば、ポリオレフィン系合成樹脂やポリアセタール系合成樹脂あるいはナイロン系合成樹脂等で被覆することが望ましい。
【実施例２】
【００２５】
次に、本発明の第二の実施例を図５及び図６により説明する。
図５は、本発明の第二の実施例を示す滑部材と中間仕切りの説明図であり、図５（a）は滑部材３１の斜視図、図５（b）は中間仕切り３２の要部斜視図、図５（c）は滑部材３１を中間仕切り３２に組み込んだ状態の要部断面図である。
【００２６】
本発明の第二の実施例の特徴とするところは、前述の枠体８が摺動し、該枠体８の荷重を支える凸部材１２（図２の１２）と中間仕切りとを、それぞれ別々に形成し、該凸部材１２を構成する突部１２a（図２の１２a）と、前傾防止部１２c（図２の１２c）及び横揺れ防止部１２b（図１２の１２b）を、それ自身が潤滑性を有する材料、例えば、ポリオレフィン系合成樹脂やポリアセタール系合成樹脂あるいはナイロン系合成樹脂等を使用して、射出成形等により一体形成したものである。
【００２７】
該一体形成した滑部材３１は前述の枠体８（図２の８）の荷重を支える突部１２a（図２の１２a）の、その他の実施例として、図５（a）に示すように、略円弧状の支持部３１aと成して、前述の枠体８の荷重を支持しつつ、該枠体８との摺動時に発生する摺動音を小さくするように構成してある。換言すれば、前述の枠体８の引き出し時の摺動音を小さくできるように、該枠体８との接触面積を小さくし、且つ、該枠体８の荷重負荷に耐えられるように、略円弧状に形成してある。
【００２８】
３１bは前記の略円弧状の支持部３１a近傍にもうけた突起部であり、該突起部３１bは、前述した前傾防止部１２c（図２の１２c）の機能をその頂部３１b1に有しており、且つ、その側面部３１b2に、前述した横揺れ防止部１２b（図１２の１２b）の機能を有している。３１eは中間仕切り３２の固定溝３２eに嵌合する固定部であり、該固定部３１eには、固定爪３１f及び３１gを設けて、該固定爪３１f及び３１gを、前記の中間仕切りの固定溝３２e近傍に設けた固定穴３２f及び３２gに嵌合することにより、滑部材３１自身を中間仕切り３２に確実に固定する構成にしてある。
【００２９】
次に、前記滑部材３１を中間仕切り３２に複数個取り付けた状態の平面図である図６について説明する。図６に示すＷx寸法は、前述の図４にて説明した「Ｗ１＋δ21＋δ31」寸法相当であり、また、前述の図４にて説明した「Ｗ2＋δ22＋δ32」寸法相当でもある。該Ｗx寸法をＷ１寸法相当、或いはＷ2寸法相当にした場合は、前述した枠体の横揺れ防止板部８b（図４の８b）と横揺れ防止機能を有する側面部３１b2とが当接するが、当接した状態でも該側面部３１b2自身が前記Ｗx寸法を僅かに大きくするように弾性変形できるように、滑部材３１の固定部３１eと側面部３１b2との間に所定の寸法Ｌ3を設けてある。
【００３０】
換言すれば、複数個の滑部材３１を、間隔Ｗx寸法を有して中間仕切り３２に固定した後に、前記滑部材３１の側面部３１b2が弾性変形できるように、該側面部３１b2と固定部３１eの間にＬ3寸法を設けてある。なお、該弾性変形がより容易に生じるように、側面部３１b2の取り付け寸法Ｌ9は、固定爪３１g部の幅寸法Ｌ8より小さく設定するのが望ましい。
【００３１】
また、図６に示すように、突起部３１bの両側面に横揺れ防止機能を有する側面部３１b2を設け、該両側面の幅寸法Ｌ４を、前述の略円弧状の支持部３１aの幅寸法Ｌ6より大きく設定して、「Ｌ4＝Ｌ5＋Ｌ6＋Ｌ7」とし、かつ、「Ｌ5＝Ｌ7」と設定すれば、図６に示す2個の滑部材３１を製作するのに、一種類の滑部材３１を複数個作製するだけで良く、製造コスト上有利な構造と成る。なお、前記Ｌ5寸法やＬ7寸法を適正に設定すれば、側面部３１b2が横方向に弾性変形した場合でも、前述した枠体の横揺れ防止板部８bと支持部３１aが当接しないので、摺動音の発生が少なくなることは自明である。
【図面の簡単な説明】
【００３２】
【図１】本発明の一実施例を示す冷蔵庫正面図である。
【図２】図１のＡ−Ａ線要部断面図である。
【図３】図２のＢ−Ｂ線要部断面図である。
【図４】図３のＤ−Ｄ線要部断面図である。
【図５】本発明の第二の実施例を示す滑部材と中間仕切りの説明図である。
【図６】本発明の第二の実施例を示す滑部材取り付け幅の説明図である。
【符号の説明】
【００３３】
３、４、５、６…引き出し式扉、７…箱体、８…枠体、８a…枠体のレール面、８b…枠体の横揺れ防止板部、９…枠継ぎ部材、９a…枠体後部の滑部、１０…箱体レール部、１２…凸部材、１２a…突部、１２b…横揺れ防止部、１２c…前傾防止部、１３…中間仕切り、１５…容器、３１…滑部材。
【図１】
2005140429.tif 000003
【図２】
2005140429.tif 000004
【図３】
2005140429.tif 000005
【図４】
2005140429.tif 000006
【図５】
2005140429.tif 000007
【図６】
2005140429.tif 000008